(57)【要約】【課題】保冷庫等からコントロールラックごとコントロール検体を搬出して分析装置に搬入する作業が自動的に行え、工数の削減と正確が分析が行える血液検体搬送分析システムを提供することにある。【解決手段】血液検体を収容した試験管Ａを複数本ずつ垂直状態に保持する検体ラック１４と、検体ラックを搬送する搬送ラインとしての搬送路１１と、搬送装置１１と接続され、搬入される検体ラック中の血液検体を分析する分析装置１５と、分析装置１５もしくは搬送路１１の途中に接続され、分析装置１５に複数本のコントロール検体２３を収容したコントロールラック２５を搬入するコントロール検体ユニット２０とを具備したことを特徴とする。【選択図】  図２
2005274289.tif 000002
【特許請求の範囲】
【請求項１】
血液検体を収容した試験管を複数本ずつ垂直状態に保持する検体ラックと、
前記検体ラックを搬送する搬送ラインと、
前記搬送ラインと接続され、搬入される前記検体ラック中の血液検体を分析する分析装置と、
前記分析装置もしくは前記搬送ラインの途中に接続され、前記分析装置に複数本のコントロール検体を収容したコントロールラックを搬入するコントロール検体ユニットと、
を具備したことを特徴とする血液検体搬送分析システム。
【請求項２】
前記コントロール検体ユニットは、前記コントロールラックを前記検体ラックの搬送方向と同一向きに並置され、搬出指令信号によって前記コントロール検体ユニットからコントロールラックが搬出されることを特徴とする請求項１に記載の血液検体搬送分析システム。
【請求項３】
前記コントロール検体ユニットは、前記コントロールラックを検体ラックの搬送方向と異なる向きに並置され、搬出指令信号によって前記コントロール検体ユニットからコントロールラックが前記検体ラックの搬送方向と一致する向きに方向変換されて搬出されることを特徴とする請求項１に記載の血液検体搬送分析システム。
【請求項４】
前記検体ラックの搬送ラインと前記コントロール検体ユニットの搬出部との接続部には方向変換機構が設けられていることを特徴とする請求項１に記載の血液検体搬送分析システム。
【発明の詳細な説明】
【技術分野】
【０００１】
この発明は、血液検体を収容した試験管を複数本ずつ検体ラックに保持して分析装置に搬入し、血液検体を分析する血液検体搬送分析システムに関する。
【背景技術】
【０００２】
生化学的分析等の各種血液検査を行う場合には、その前処理として、血液検体を収容した試験管を遠心分離機にセットし、血液の遠心分離処理を行う。次に、試験管内の血清を分取し、分取した血液検体をしかるべき検査容器に分注する作業が行われる。
【０００３】
試験管内の血液検体を分析装置によって搬入し、試験管ごと分析する場合には、血液検体に例えば試薬を注入して反応状況を検知することにより、血液検体を分析することが行われる。この場合、血液検体を収容した試験管を複数本ずつ検体ラックに垂直状態に保持し、検体ラックを搬送ベルト等の搬送ラインによって分析装置に搬入している。
【０００４】
分析装置は、搬入された検体ラック中の試験管に収容された血液検体を分析し、その分析結果をマイクロコンピュータに記憶させ、分析が終了した血液検体が収容された試験管は分析装置の内部にストックされるようになっている。
【０００５】
ところで、この種の分析装置は、分析が正常に行われているか否かを検査するために、コントロール検体を定期的あるいは一定量の処理ごとに分析装置に搬入し、分析データ−を確認することが行われている。つまり、コントロール検体は、検体ラックと同様のコントロールラックに垂直状態に保持された状態で保冷庫等に保管されている。
【０００６】
そして、作業者が定期的あるいは一定量の処理ごとに保冷庫からコントロールラックごとコントロール検体を取り出し、分析装置に搬入して分析データ−を確認し、分析が正常に行われているか否かを検査している。
【発明の開示】
【発明が解決しようとする課題】
【０００７】
しかしながら、作業者が定期的あるいは一定量の処理ごとに保冷庫からコントロールラックごとコントロール検体を取り出し、分析装置に搬入するには、作業者が常に付き添っている必要があり、作業者の負担となっている。また、作業者がコントロール検体を取り出し、分析装置に搬入するのを忘れた場合、正確な分析ができないという問題がある。
【０００８】
この発明の目的は、前記事情に着目してなされたもので、その目的とするところは、保冷庫等からコントロールラックごとコントロール検体を搬出して分析装置に搬入する作業が自動的に行え、工数の削減と正確が分析が行える血液検体搬送分析システムを提供することにある。
【課題を解決するための手段】
【０００９】
この発明は、前記目的を達成するために、血液検体を収容した試験管を複数本ずつ垂直状態に保持する検体ラックと、前記検体ラックを搬送する搬送ラインと、前記搬送ラインと接続され、搬入される前記検体ラック中の血液検体を分析する分析装置と、前記分析装置もしくは前記搬送ラインの途中に接続され、前記分析装置に複数本のコントロール検体を収容したコントロールラックを搬入するコントロール検体ユニットとを具備したことを特徴とする血液検体搬送分析システムにある。
【００１０】
前記コントロール検体ユニットは、好ましくは、前記コントロールラックを前記検体ラックの搬送方向と同一向きに並置され、搬出指令信号によって前記コントロール検体ユニットからコントロールラックが搬出されることを特徴とする。
【００１１】
前記コントロール検体ユニットは、好ましくは、前記コントロールラックを検体ラックの搬送方向と異なる向きに並置され、搬出指令信号によって前記コントロール検体ユニットからコントロールラックが前記検体ラックの搬送方向と一致する向きに方向変換されて搬出されることを特徴とする。
【００１２】
また、前記検体ラックの搬送ラインと前記コントロール検体ユニットの搬出部との接続部には方向変換機構が設けられていることを特徴とする。
【発明の効果】
【００１３】
この発明によれば、保冷庫等からコントロールラックごとコントロール検体を搬出して分析装置に搬入する作業が自動的に行え、工数の削減を図ることができると共に、正確な分析が行えるという効果がある。
【発明を実施するための最良の形態】
【００１４】
以下、この発明の実施の形態を図面に基づいて説明する。
【００１５】
図１〜図３は第１の実施形態を示し、図１は血液検体搬送分析システムの正面図、図２は同じく平面図、図３は検体ラックに試験管を保持した状態の側面図である。
【００１６】
図１及び図２に示すように、搬送ラインとしての搬送路１１は、長手方向に亘って一定幅に設置された一対のガイドレール１２と、一対のガイドレール１２の間に長手方向に亘って配置された搬送ベルト１３とから構成されている。そして、搬送路１１には、図３に示すように、血液検体を収容した試験管Ａを複数本、例えば５本ずつ垂直状態に保持する検体ラック１４が載置され、検体ラック１４を一列縦隊で搬送するようになっている。
【００１７】
搬送路１１の搬出端側には搬入される検体ラック１４中の血液検体を分析する分析装置１５が設けられている。この分析装置１５は搬入部１６を有し、この搬入部１６から分析装置１５の内部に連続する搬送部１７を有している。そして、分析装置１５には検体ラック１４中の試験管Ａに収容された血液検体に試薬を注入して反応状況を検知する検知部及び検知結果を記憶するマイクロコンピュータ（図示しない）が設けられている。さらに、分析装置１５の内部には検査が終了した血液栓体を収容した試験管Ａを含む検体ラック１４をストックするストック部１８が設けられている。
【００１８】
さらに、搬送路１１の搬出端と分析装置１５の搬入部１６との間には接続部１９が設けられている。この接続部１９にはコントロール検体ユニット２０の搬出部２１が接続されている。コントロール検体ユニット２０には保冷庫２２が設けられている。この保冷庫２２にはコントロール検体２３が容器２４に収容された状態で、コントロールラック２５に例えば５本ずつ垂直状態に保持されている。
【００１９】
コントロールラック２５は、複数個からなり、搬送路１１を搬送する検体ラック１４の搬送方向と同一向きに並置された状態で搬出レール２６に載置されている。搬出レール２６の後方にはコントロールラック２５を搬出部２１から搬送路１１に搬出するプッシャ−機構２７が設けられている。このプッシャ−機構２７は、搬出指令信号によって作動し、コントロール検体ユニット２０からコントロールラック２５が搬出されると、搬送路１１を介して分析装置１５に搬入されるようになっている。コントロールラック２５は、検体ラック１４と基本的に同一構造であるが、コントロールラック２５と検体ラック１４とは色によって識別されている。
【００２０】
前述のように構成された血液検体搬送分析システムによれば、搬送路１１の搬送ベルト１３の走行に伴って検体ラック１４が搬入部１６を介して分析装置１５に搬入される。分析装置１５は、検体ラック１４中の試験管Ａに収容された血液検体に試薬を注入して反応状況を検知するなどして検知し、その検知結果をマイクロコンピュータに記憶すると同時に、検査が終了した血液栓体を収容した試験管Ａを含む検体ラック１４はストック部１８にストックされる。
【００２１】
分析装置１５に搬入される検体ラック１４の個数をカウントし、例えば、数十個あるいは数百個の設定値に到達すると、コントロール検体ユニット２０に搬出指令信号が入力される。従って、プッシャ−機構２７が作動して保冷庫２２内に配置された最前端のコントロールラック２５が搬送路１１に搬送される。
【００２２】
搬送路１１に搬出されたコントロールラック２５は搬入部１６を介して分析装置１５に搬入される。分析装置１５は基準となるコントロール検体２３を取り出し、分析装置１５において分析データ−を確認し、分析が正常に行われているか否かを検査する。検査が終了したコントロール検体２３を含むコントロールラック２５は分析装置１５のストック部１８にストックされる。そして、再び搬送路１１から検体ラック１４が搬送され、分析装置１５に搬入されて血液検体の分析が再開される。
【００２３】
前述したように、分析装置１５に搬入される検体ラック１４の個数をカウントし、例えば、数十個あるいは数百個の設定値に到達すると、コントロール検体ユニット２０に搬出指令信号が入力されて保冷庫２２内に配置されたコントロールラック２５が搬送路１１に搬送される。そして、搬送路１１から搬入部１６を介して分析装置１５に自動的に搬入されるため、人手を介することなく、自動運転が可能となる。
【００２４】
図４及び図５は第２の実施形態を示し、図４は血液検体搬送分析システムの正面図、図５は同じく平面図であり、第１の実施形態と同一構成部分は同一番号を付して説明を省略する。
【００２５】
本実施形態の搬送路１１の中途部には、コントロール検体ユニット２０の搬出部２１と搬送路１１とを接続する接続部２８が設けられ、この接続部２８にはコントロールラック２５の方向を変換する方向変換機構２９が設けられている。コントロール検体ユニット２０の保冷庫２２には搬送路１１によって搬送される検体ラック１４の搬送方向と直角方向にコントロールラック２５が整列した状態に並置されている。そして、コントロールラック２５はその並置方向と同方向に搬出部２１から搬出されるようになっている。
【００２６】
方向変換機構２９は正逆回転可能なモータ３０によって回転するターンテーブル３１には十字状のラック支持部３２が設けられている。ラック支持部３２の両端部３２ａ，３２ｂはターテーブル３１の水平面内で回動（９０°）によって搬送路１１及びコントロール検体ユニット２０の搬出部２１に選択的に対向できるようになっている。
【００２７】
従って、分析装置１５に搬入される検体ラック１４の個数をカウントし、例えば、数十個あるいは数百個の設定値に到達すると、コントロール検体ユニット２０に搬出指令信号が入力される。従って、保冷庫２２内に配置された最前端のコントロールラック２５が搬出部２１からターンテーブル３１のラック支持部３２に搬出される。
【００２８】
コントロールラック２５がラック支持部３２に移載されると、モータ３０によってターンテーブル３１が９０°回動し、コントロールラック２５が支持されたラック支持部３２は搬送路１１に対向する。この状態で、搬送路１１を搬送する検体ラック１４によって搬出されたコントロールラック２５が後方から押圧されると、コントロールラック２５は搬入部１６を介して分析装置１５に搬入される。
【００２９】
本実施形態によれば、搬送路１１の中途部に方向変換機構２９が設けられているため、コントロール検体ユニット２０内に保管されているコントロールラック２５がどのような向きに並置されていても、コントロール検体ユニット２０に搬出指令信号が入力されると、保冷庫２２内に配置されたコントロールラック２５が搬送路１１に搬送される。そして、搬送路１１から搬入部１６を介して分析装置１５に自動的に搬入されるため、人手を介することなく、自動運転が可能となる。
【００３０】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３１】
【図１】この発明の第１の実施形態を示し、血液検体搬送分析システムの正面図。
【図２】同実施形態の概略的平面図。
【図３】同実施形態の検体ラックに試験管を保持した状態の側面図。
【図４】この発明の第２の実施形態を示し、血液検体搬送分析システムの正面図。
【図５】同実施形態の概略的平面図。
【符号の説明】
【００３２】
１１…搬送路、１４…検体ラック、１５…分析装置、２０…コントロール検体ユニット、２３…コントロール検体、２５…コントロールラック、Ａ…試験管
【図１】
2005274289.tif 000003
【図２】
2005274289.tif 000004
【図３】
2005274289.tif 000005
【図４】
2005274289.tif 000006
【図５】
2005274289.tif 000007